(57)【要約】      （修正有）【課題】植物の生産量を精確に予測可能であり、植物の根部が腐らず、生産コストを減少可能であり、環境を保護可能である環境保護媒質栽培槽を提供する。【解決手段】移植盤５０によって受ける複数の栽培盤６０に栽培している植物に、必要な水分及び栄養分を供給し、チューブ状を呈し、その上面には、軸方向に沿って剖開されて上の幅が下の幅よりも大きい栽培溝が設けられ、その底部に液体排出穴２２が複数設けられる媒質栽培槽２０と、媒質栽培槽の端部に配されるサイドカバー３０と、媒質栽培槽の下方に設けられる栄養液受け溝４０と、撓み可能であり、媒質栽培槽と栄養液受け溝とを固定する複数の固定具７０と、を含む。【選択図】図３
0003182017.tif 000002
【実用新案登録請求の範囲】
【請求項１】
移植盤によって受ける複数の栽培盤に栽培している植物に、必要な水分及び栄養分を供給し、
チューブ状を呈し、その上面には、軸方向に沿って剖開されて上の幅が下の幅よりも大きい栽培溝が設けられ、その底部に液体排出穴が複数設けられる媒質栽培槽と、
前記媒質栽培槽の端部に配されるサイドカバーと、
前記媒質栽培槽の下方に設けられる栄養液受け溝と、
撓み可能であり、前記媒質栽培槽と前記栄養液受け溝とを固定する複数の固定具と、
を含むことを特徴とする環境保護媒質栽培槽。
【請求項２】
前記栽培溝には、前記移植盤同士の間に配されるカバーが複数設けられ、前記媒質栽培槽の内部に媒質が充填されていることを特徴とする、請求項１に記載の環境保護媒質栽培槽。
【請求項３】
更に、前記媒質栽培槽と前記栄養液受け溝とを支持するための支持台座を含み、前記支持台座は、床面又は屋根に固定可能であることを特徴とする、請求項１又は２に記載の環境保護媒質栽培槽。
【考案の詳細な説明】
【技術分野】
【０００１】
本考案は、栽培槽に関し、特に、土壌を栽培媒質として利用しない環境保護媒質栽培槽に関するものである。
【背景技術】
【０００２】
従来、野菜、果物や花は、平面的な土壌によって栽培されるが、これらの成長の過程及び成長の結果が、環境条件及び天然災害などにより、精確に制御し、又は予測することができない。現在、産量を増加するために、温室において、野菜などを栄養液で栽培する中央制御管理システムを採用する。このような栄養液栽培法は、各形態の土壌無し固体媒質（ｓｏｉｌｌｅｓｓ  ｓｏｌｉｄ  ｍｅｄｉｕｍ）（例えば椰子繊維、真珠岩、バーミキュライト、樹皮、ミズゴケ、人工ミズゴケやロックウールなど）を栽培媒質として、特定の形状を有する栽培槽や植木鉢に前記栽培媒質を充填した後、色々な灌漑システムによって栄養液を供給する方法である。
【０００３】
このため、特許文献１の台湾特許Ｉ３５４５３４号は、植物栽培装置とその応用を提案した。このような植物栽培装置は、少なくとも一つの多孔載せ体が前記植物栽培装置の管状ケースユニットの内部に配され、これにより、少なくとも一つの前記多孔載せ体の底面と前記管状ケースユニットの内底壁面の間に貯蔵槽が形成されるため、少なくとも一つの前記多孔載せ体の毛細管現象により植物を灌漑可能である。
【０００４】
上記の技術により、生産量を精確に予測可能であるが、植物を栽培するための装置の設計により、前記管状ケースユニットに植物と前記多孔載せ体とから構成されるユニットを一つ一つ入れることが必要である。そうすると、工数が増加し、生産コストが増加し、そして前記多孔載せ体が余分の栄養液に浸されるため、植物の根部が腐りやすい問題がある。
【先行技術文献】
【特許文献】
【０００５】
【特許文献１】台湾特許Ｉ３５４５３４号公報
【考案の概要】
【考案が解決しようとする課題】
【０００６】
本考案の主な目的は、植物の生産量を精確に予測可能であり、植物の根部が腐らず、生産コストを減少可能であり、環境を保護可能である環境保護媒質栽培槽を提供することにある。
【課題を解決するための手段】
【０００７】
本考案の環境保護媒質栽培槽によると、移植盤によって受ける複数の栽培盤に栽培している植物に、必要な水分及び栄養分を供給し、
チューブ状を呈し、その上面には、軸方向に沿って剖開されて上の幅が下の幅よりも大きい栽培溝が設けられ、その底部に液体排出穴が複数設けられる媒質栽培槽と、
媒質栽培槽の端部に配されるサイドカバーと、
媒質栽培槽の下方に設けられる栄養液受け溝と、
撓み可能であり、媒質栽培槽と栄養液受け溝とを固定する複数の固定具と、
を含むことを特徴とする。
【０００８】
本考案の環境保護媒質栽培槽によると、栽培溝には、移植盤同士の間に配されるカバーが複数設けられ、媒質栽培槽の内部に媒質が充填されていることを特徴とする。
【０００９】
本考案の環境保護媒質栽培槽によると、更に、媒質栽培槽と栄養液受け溝とを支持するための支持台座を含み、支持台座は、床面又は屋根に固定可能であることを特徴とする。
【考案の効果】
【００１０】
本考案の環境保護媒質栽培槽によれば、次のような効果がある。
（１）本考案の媒質栽培槽の内部に媒質が充分に充填されているため、中央制御管理システムによって提供される水分及び栄養分が均一に分布され、これにより、各植物が水分及び栄養分を充分に吸収可能であり、植物の生産量を精確に予測可能である。
【００１１】
（２）本考案の媒質栽培槽の上面に栽培溝が設けられるため、長期間に使用された媒質を交換したいときには、固定具を容易に解放して、使用された媒質を除去した後、栽培溝の内部を洗浄可能であり、環境を保護可能である。
【００１２】
（３）本考案の媒質栽培槽の下方に栄養液受け溝が設けられるため、媒質の余分の水分及び栄養分は液体排出穴から栄養液受け溝に流入可能であり、栄養液受け溝が液体を流させるための傾斜度を有するため、栄養液を回収して循環に利用可能である。このように、植物の根部が腐らず、生産コストを減少可能であり、環境を保護可能であり、そして栄養液が床面に滴下しないため、環境を清潔に保持可能であり、病虫害を減少可能である。
【図面の簡単な説明】
【００１３】
【図１】本考案の一実施例の一部を示す分解斜視図である。
【図２】図１の使用状態を示す斜視図である。
【図３】図２の断面図である。
【考案を実施するための最良の形態】
【００１４】
以下、本考案の実施の形態を図面に基づいて説明する。
図１乃至図３を参照する。図１は本考案の一実施例の一部を示す分解斜視図であり、図２は図１の使用状態を示す斜視図であり、図３は図２の断面図である。本考案の一実施例の環境保護媒質栽培槽は、移植盤５０によって受ける複数の栽培盤６０に栽培されている植物に、必要な水分及び栄養分（栄養液）を供給する。本実施例の環境保護媒質栽培槽は、管状を呈する媒質栽培槽２０と、サイドカバー３０と、栄養液受け溝４０と、複数の固定具と、を含む。媒質栽培槽２０の上面には、軸方向に沿って剖開されて上の幅が下の幅よりも大きい栽培溝２１が設けられる。媒質栽培槽２０の底部に液体排出穴２２が複数設けられる。媒質栽培槽２０の内部に媒質２４が充填されている。栽培溝２１には、移植盤５０同士の間に配されるカバー２３が複数設けられる。カバー２３により、水分の蒸発を防止可能であり、そして光線の照射によるモス及びアルガの成長を防止可能である。サイドカバー３０は媒質栽培槽２０の端部に配される。栄養液受け溝４０は媒質栽培槽２０の下方に設けられる。栄養液受け溝４０が液体を流させるための傾斜度を有するため、栄養液を回収して循環に利用可能である。固定具７０（例えば括り帯）は、撓み可能であり、媒質栽培槽２０と栄養液受け溝４０とを固定する。また、本実施例の環境保護媒質栽培槽は、更に、媒質栽培槽２０と栄養液受け溝４０とを支持するための支持台座８０を含む。支持台座８０は、床面に固定可能であり、又は逆転して屋根に固定可能である。
【００１５】
上記の説明から明らかなように、本考案の媒質栽培槽２０の内部に媒質２４が充分に充填されているため、中央制御管理システムによって提供される水分及び栄養分が均一に分布され、これにより、各植物９０が水分及び栄養分を充分に吸収可能であり、植物の生産量を精確に予測可能である。また、媒質栽培槽２０の上面に栽培溝２１が設けられるため、長期間に使用された媒質２４を交換したいときには、固定具７０を容易に解放して、使用された媒質２４を除去した後、栽培溝２１の内部を洗浄可能であり、環境を保護可能である。また、媒質栽培槽２０の下方に栄養液受け溝４０が設けられるため、媒質２４の余分の水分及び栄養分（栄養液）が液体排出穴２２から栄養液受け溝４０に流入可能であり、図３に示すように、栄養液受け溝４０が液体を流させるための傾斜度を有するため、栄養液を回収して循環に利用可能である。このように、植物９０の根部が腐らず、生産コストを減少可能であり、環境を保護可能であり、そして栄養液が床面に滴下しないため、環境を清潔に保持可能であり、病虫害を減少可能である。
【００１６】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１７】
本考案は、栽培槽に適用することができる。
【符号の説明】
【００１８】
１０：環境保護媒質栽培槽
２０：媒質栽培槽
２１：栽培溝
２２：液体排出穴
２３：カバー
２４：媒質
３０：サイドカバー
４０：栄養液受け溝
５０：移植盤
６０：栽培盤
７０：固定具
８０：支持台座
９０：植物
【図１】
0003182017.tif 000003
【図２】
0003182017.tif 000004
【図３】
0003182017.tif 000005